(57)【要約】      （修正有）【課題】簡易に使用される椅子であって、テーブル、置物台や縁台等としても使用可能であり、使用の仕方や置物の種類に応じて多彩な使用が可能な多機能椅子を提供する。【解決手段】座面部２の外周に枠体３が設けられ、枠体３の中で、システム畳（ユニット畳）、クッション、シート状の人工芝（ユニットターフ）、タイル、マット等のシート状交換具５が収納される。前記枠体３と座面部２との間に隙間が設けられ、この隙間に畳等のシート状交換具５が位置するように配される。また、隙間を利用して連結手段が設けられている。【選択図】図１
2011024858.tif 000002
【特許請求の範囲】
【請求項１】
脚部と座面部とを備えた椅子において、座面部の外周に枠体が設けられ、枠体の中で、畳、ユニット畳、クッション、シート状の人工芝（ユニットターフ）、タイル等のシート状交換具が収納されることを特徴とする多機能椅子。
【請求項２】
前記枠体と座面部との間に隙間が設けられ、この隙間に前記畳等のシート状交換具が位置するように配されていることを特徴とする請求項１記載の多機能椅子。
【請求項３】
前記枠体は、座面部又は脚部と別体に配されるとともに、座面部と枠体、又は、脚部と枠体とを連結する連結手段により前記枠体の高さが調節可能であることを特徴とする請求項１記載の多機能椅子。
【請求項４】
前記座面部は、正方形又は長方形の板であり、前記枠体が４枚の板状のもので、前記連結手段により４枚の枠体の各々が座面部と連結され、前記枠体の各々の板が個別に高さが調節可能であることを特徴とする請求項３記載の多機能椅子。
【請求項５】
前記請求項１ないし４のいずれか１項記載の多機能椅子を連結状態にして、前記枠体の連結する側の板のいくつかの高さを調節するとともに、一方の多機能椅子から他方の多機能椅子に亘って連続する前記シート状交換具が収納されることを特徴とする前記請求項１ないし４のいずれか１項記載の多機能椅子。
【請求項６】
前記請求項１ないし４のいずれか１項記載の多機能椅子を連結状態にするに際して、前記枠体の連結する側の板を取り外すとともに、一方の多機能椅子から他方の多機能椅子に亘って連続する前記シート状交換具が収納されることを特徴とする前記請求項１ないし４のいずれか１項記載の多機能椅子。
【発明の詳細な説明】
【技術分野】
【０００１】
本発明は、椅子としての使用は勿論、テーブル、置物台や縁台等としても使用可能な多機能椅子に関する。
【背景技術】
【０００２】
従来、椅子は、一般に、脚部と腰掛部とからなるものが多いが、ここに和風調を加えることが求められることがあり、例えば、特許文献１に示すように、腰掛部に畳を入れたものが使用されることがある。ここでの畳みは、着脱が容易なシステム畳か、又は、畳の表生地のみを鋲で止めて使用するものが多い。なお、特許文献２は、脚部が折り畳み可能な椅子である。
【先行技術文献】
【特許文献】
【０００３】
【特許文献１】実開平３−１１１７２６号公報
【特許文献２】実開昭６３−９９２９号公報
【発明の概要】
【発明が解決しようとする課題】
【０００４】
しかしながら、畳が交換するには、シート状の畳の鋲を外すか、隙間のないところに指や板状の部材を差し込んで交換するものであった。すなわち、前記枠体に前記システム畳等のシート状交換具を組み込むと、枠体の上面とシート状交換具の上面が同じくらいの高さになるときは、交換が容易ではなかった。
そして、販売に際する広告では、テーブルとしての使用等が可能であるされるものがある。しかしながら、テーブルとして使用するときと椅子として使用するときや、椅子とは違う置物台等の使用では、高さが違うことが求められる場合があるが、従来の椅子では、このような高さ調整を考慮した兼用のものはなかった。
【０００５】
他方、置物台や縁台等として使用するときには、それに合った使用が必要である。例えば、縁台として使用するときは、畳の部分は雨等を考慮すると好ましくなく、又、置物台として使用するときは、その置物の種類に応じて変更する必要が生じるが、そのような多機能の椅子で、簡易に使用される椅子は、従来なかった。
【０００６】
そこで本発明の目的は、簡易に使用される椅子であって、テーブル、置物台や縁台等としても使用可能であり、使用の仕方や置物の種類に応じて多彩な使用が可能な多機能椅子を提供することにある。
【課題を解決するための手段】
【０００７】
本発明の多機能椅子は、脚部と座面部とを備えた椅子において、座面部の外周に枠体が設けられ、枠体の中で、システム畳（ユニット畳）、クッション、シート状の人工芝（ユニットターフ）、タイル、マット等のシート状交換具が収納されることを特徴とする。シート状交換具としては、枠体に収まるものであれば、特に限定されず、断面が凹状の容器であっても良い。畳は、通常の畳であっても良いが、いわゆるユニット畳（システム畳やフロア畳とも呼ばれる。）が使用し易い。
【０００８】
本発明によれば、枠体の中で畳等のシート状交換具が収納されるが、シート状交換具が畳の場合には、枠体よりも高くなる畳であっても良い。また、畳等のシート状交換具を除去すると、座面部が表われるので、この座面部をテーブルや置物台等として使用することができる。枠体を有するので、小物類を入れても、小物類の落下が防止される利点を有する。
【０００９】
本発明としては、前記枠体と座面部との間に隙間が設けられ、この隙間に前記畳等のシート状交換具が位置するように配されることが好ましい。
本発明によれば、畳等のシート状交換具の上面と枠体の上面とが一致している（面一である）ときや、畳等のシート状交換具の上面が枠体の上面より低いときでも、上記隙間を利用して畳等のシート状交換具の底部から押し上げるようにすることで、畳等のシート状交換具を上方に突出させて容易に取り出すことができる。
【００１０】
本発明としては、前記枠体は、座面部又は脚部と別体に配されるとともに、座面部と枠体、又は、脚部と枠体とを連結する連結手段により前記枠体の高さが調節可能であることが好ましい。連結手段としては、リンク機構や、板状部材の高さ方向に高さ位置調整のためのネジ穴や長穴にネジを差込み、これらの穴に対するネジの位置を変更することで高さ調節可能な部材が使用可能である。
本発明によれば、前記枠体の高さ調整が可能であるが、これにより、座面部との高さを同じにして、段差のない椅子、テーブルや置物台等としての使用が可能になる。また、かかる高さを同じにした状態で、本願の多機能椅子をいくつか連結して使用しても良い。
【００１１】
本発明としては、前記座面部は、正方形又は長方形の板であり、前記枠体が４枚の板状のもので、前記連結手段により４枚の枠体の各々が座面部と連結され、前記枠体の各々の板が個別に高さが調節可能であることが好ましい。
本発明によれば、本願の多機能椅子を連結状態にして、前記枠体の板のいくつかの高さを調節するとともに、一方の多機能椅子から他方の多機能椅子に亘って連続する前記シート状交換具を収納することが可能になる。すなわち、畳等のシート状交換具を組み込んだ所定の大きさの多機能椅子になる。
【００１２】
本発明としては、前記請求項１ないし４のいずれか１項記載の多機能椅子を連結状態にして、前記枠体の連結する側の板のいくつかの高さを調節するとともに、一方の多機能椅子から他方の多機能椅子に亘って連続する前記シート状交換具が収納されることや、又、前記請求項１ないし４のいずれか１項記載の多機能椅子を連結状態にするに際して、前記枠体の連結する側の板を取り外すとともに、一方の多機能椅子から他方の多機能椅子に亘って連続する前記シート状交換具が収納されることが好ましい。
本発明によれば、多機能椅子を連結状態にするに際して、枠体の高さを考慮して、この高さを調整したり、枠体のいくつかを取り外すことで、市販のシート状交換具を使用したりして、横並び方向で田の字形状やＬ型形状等に種々変更して使用可能である。
【発明の効果】
【００１３】
本発明の多機能椅子は、枠体の中で畳等のシート状交換具が収納されるので、畳の位置ずれが生じたりすることなく、多種類のシート状交換具を収納して、椅子は勿論、テーブル、置物台、縁台等として使用可能である。畳やユニット畳を収納すれば、和風の部屋にマッチングした多機能椅子になる。また、前記枠体と座面部との間に隙間が設けられ、この隙間に前記畳等のシート状交換具が位置するように配されることで、上記隙間を利用して畳等のシート状交換具の交換を容易に行なうことが可能になる。
そして、前記枠体の高さが調節可能であるので、枠体の高さを座面部と同じにすることで、枠体による障害のない、いわゆる一枚板のテーブルや置物台等としても使用可能である。
【図面の簡単な説明】
【００１４】
【図１】本発明の第１の実施の形態を示す斜視図である。
【図２】上記第１の実施の形態の正面図（ａ）と側面図（ｂ）と断面図（ｃ）である。
【図３】上記第１の実施の形態の他の例を示す正面図（ａ）と断面図（ｂ）である。
【図４】上記第１の実施の形態に使用されるシート状交換具を示す断面図である。
【図５】本発明の第２の実施の形態を示す斜視図である。
【図６】上記第２の実施の形態の正面図（ａ）と側面図（ｂ）と断面図（ｃ）である。
【図７】上記第２の実施の形態の他の例を示す正面図（ａ）と断面図（ｂ）である。
【図８】上記第２の実施の形態に使用されるシート状交換具を示す断面図である。
【図９】上記第２の実施の形態の他の例を示す断面図である。
【図１０】本発明の第３の実施の形態を示す斜視図である。
【図１１】本発明の第３の実施の形態を示す断面図である。
【図１２】上記各実施の形態のシート状交換具のシート状の人工芝（ユニットターフ）を示す斜視図である。
【発明を実施するための形態】
【００１５】
以下、図面を引用しながら本発明の多機能椅子の実施の形態を説明する。
【００１６】
（第１の実施の形態）
図１は、本発明の第１の実施の形態を示す斜視図であり、図２は第１の実施の形態の正面図（ａ）と側面図（ｂ）と断面図（ｃ）である。本発明の多機能椅子Ｚ１は、脚部１と、座面部２と、枠体３とを備える。枠体２には、シート状交換具５であるユニット畳５ｔが収納されており、その交換を容易にするために、隙間Ｓ１が設けられて、ユニット畳５ｔが配されている（図２（ａ））。本実施の形態では、脚部１と座面部２と枠体３のいずれもが木製のものとして説明するが、その材質は問わない。
【００１７】
座面部２は、正方形の板であり、その裏面に脚部４が４個取り付けられている。座面部２は、腰掛ける面として使用されたり、テーブル面や置き台の面等として使用される。脚部４は、座面部２を支持するものであり、座面部２の角部付近に４本の脚部が取り付けられている。枠体３は、畳等のシート状交換具５が収納させるものであるが、収納具５の位置ズレ防止の役割も果たす。枠体３は、座面部２よりも一回り大きな正方形の枠であり、４枚の板が組み合わされて、四周枠を構成している。
本実施の形態では、シート状交換具５としてシステム畳５ｔが使用され、このシステム畳５ｔは、８２０ｍｍの正方形で、厚さ（高さ）が１５ｍｍ程度である。枠体３は、その一辺が８５０ｍｍ程度であり、その高さは、１６０ｍｍ程度であり、枠の幅は１５ｍｍ程度である。したがって、ユニット畳５ｔを枠体３の中に入れると、隙間なく入れられる。なお、図１では、ユニット畳５ｔが枠体３の中に入れると、隙間なく入れられる例を示し、図２では、隙間Ｓ１を設けて収納しても良い例を示している。隙間Ｓ１を設けた場合は、その位置に畳等のシート状交換具５が位置すれば、上記隙間Ｓ１を利用して、シート状交換具５を押し上げるようにすることができる。
【００１８】
システム畳５ｔは、表面部と、裏面部と、中間部（中材）の３層構造であり、中材がインシュレーションボードであり、裏面部がポリエステル（不織布）であり、表面部がイ草（い草）である。なお、表面部に、炭やポリオレフィン系複合樹脂が混合されているものの他、多種類のものが市販されており（上記８２０ｍｍの正方形のものが数多く市販されている。）、これらの種々のものが使用可能である。ユニット畳５ｔとしては、図４（ａ）（ｂ）に示すように、いくつか連結されたものが市販されている。連結部５ｒが凹状に形成されたものでは、上記枠体３を有する多機能椅子を連結させてもそのまま使用可能である。 
【００１９】
ここで、ユニット畳５ｔを枠体３から除去すると、枠体３を有する置物台としての使用ができる。枠体３を有するので、小物入れとして使用すると、小物の落下が防止する。また、座面部２と枠体３は隙間なく取り付けられている。したがって、花瓶等の置き台として使用すると、花瓶の水が座面部２にこぼれたときも、枠体３により水が床にまで落ちることを防止する。
【００２０】
図３は、第１の実施の形態の他の例を示す正面図（ａ）と断面図（ｂ）である。この例では、枠体３と座面部２との間に隙間Ｓ２が設けられている。この隙間Ｓ２は、畳等のシート状交換具５の交換を行ない易くするためと、畳等のシート状交換具５の湿気防止と、後述する連結手段６を配するために設けられている。畳等のシート状交換具５の上面５ａと枠体３の上面３ａとが一致している（面一である）ときや、畳等のシート状交換具５の上面５ａが枠体３の上面３ａより低いときでも、上記隙間Ｓ２を利用して、シート状交換具５の底面を押し上げるようにして交換することができる。
【００２１】
上記図３の例では、枠体３の中における座面部２の上で畳等のシート状交換具５を収納して使用する場合において、畳等のシート状交換具５と枠体３の高さとの関係は、シート状交換具（ユニット畳５ｔ）５の上面５ａが枠体３の上面３ａと同じ高さになる場合でも、ユニット畳５ｔの高さ５ａが枠体３の上面３ａよりも高くなる場合でも、更にユニット畳５の高さ５ａが枠体３の上面３ａよりも低くなる場合のいずれでも良い。いずれでも、上記隙間Ｓを利用して畳等のシート状交換具の取り出しが容易であるが、シート状交換具５の高さ５ａと座面部２の高さの設定が必要な場合があり、その場合は、以下の実施の形態のように高さ調節する。
【００２２】
（第２の実施の形態）
図５と図６と図７は、第２の実施の形態の正面図等であり、図８は、一部分解斜視図である。本実施の形態は、座面部２と枠体３とを連結する連結手段６が取り付けられている。連結手段６は、長穴Ｐａが形成された第１の高さ調節プレートＰ１と、長穴Ｐｂが形成された第２の高さ調節プレートＰ２と、これらを連結するネジ部材Ｎとを備える。これらを一組として、一枚の板（４枚のうちの１枚）に２組取り付けられている。第１の高さ調節プレートＰ１は、座面部２の側面２ｃに取り付けられている。第２の高さ調節プレートＰ２は、枠体３の側面３ｃに取り付けられ、第１の高さ調節プレートＰ１と重なり合うようになっている。なお、第２の高さ調節プレートＰ２をなくして、枠体３の側面３ｃにネジ穴や長穴を形成しても良い（図８の符号８ｂ参照）。第１と第２の高さ調節プレートＰ１とＰ２は、枠体３と座面部２との間に隙間Ｓ２を利用して配されている。したがって、ネジ部材Ｎにより、枠体２の高さを座面部２の高さ位置に調節可能である。なお、図８においてのネジ部材Ｎの差し込み方向としては、１８０度反対方向から長穴Ｐａ，Ｐｂに対して差し込むことも可能である。
ここで、連結手段６としては、脚部１と枠体３とを連結する連結手段６とすることでも、枠体３の高さが調節可能である。この場合、金属製のネジ穴を有するＬ字金具を４本の脚部１に各々に取り付け、枠体３の内側にもネジ穴を有するＬ字金具を取り付け、これらのＬ字金具をネジ部材で連結させることでも、枠体２の高さを座面部２の高さ位置に調節可能である。
【００２３】
したがって、室内用の椅子として使用するときは、枠体３の中で畳等のシート状交換具５を収納した状態で使用するか、又は、畳を除去すると、枠体３が残るので、小物入れや置物台として使用可能である。また、連結手段６により、枠体３の高さ調整が可能であるので、これにより、枠体３の上面３ａと座面部２の上面２ａとの高さを同じにして、段差のない椅子や段差のないテーブルや置物台等としての使用が可能になる。
そして、前記枠体が４周辺からなる板状で、図９に示すように、多機能椅子Ｚ１を連結状態にして、連結して向かい合う部分の枠体３の板のいくつかの高さを調節するとともに（除去しても良い。）、一方の多機能椅子から他方の多機能椅子に亘って連続する前記シート状交換具５を収納することにより、長方形状の多機能椅子としての使用も可能である。
【００２４】
（第３の実施の形態）
図１０は、第３の実施の形態の斜視図であり、図１１は、断面図である。本実施の形態は、上記連結手段６が取り付けられているが、多機能椅子Ｚ１を連結状態にするに際して、連結する側の枠体３の板を取り外すとともに、一方の多機能椅子Ｚ１から他方の多機能椅子Ｚ１に亘って連続する前記シート状交換具５が収納されるものである。前記枠体３は、上記連結手段６のネジ部材Ｎを除去することで、除去できる。本実施の形態では、４つの多機能椅子Ｚ１を田の字形に連結して、４つの多機能椅子Ｚ１の各向かい合わせになる枠体３の４枚を除去する。すなわち、市販の４枚のシート状交換具５を連結するように組み合わせる。
【００２５】
本実施の形態によれば、田の字形に連結してなる市販のシート状交換具５をそのまま使用することができる。すなわち、第２の実施の形態のように、取り外さない枠体３の分を考慮したシート状交換具５を収納する必要がなくなる。なお、連結された市販のシート状交換具５は、連結箇所で折り畳みを考慮した凹部５ｓが設けられている。
【００２６】
以上、上記各実施の形態は、例えば縁台として使用することが可能である。前記シート状交換具５を除去して、将棋盤や囲碁盤やチェス盤等を入れて使用することができ、この場合、駒や碁石が風等で飛ばされても、枠体の中に納まるようになる。なお、畳の部分があると、雨があたるので、好ましくない場合があるが、このような場合は、シート状の人工芝（ユニットターフ）７を収納して（図１０参照）、その上に花器や盆栽等を置いて飾っても良い。また、上記多機能椅子Ｚ１の連結状態は、上記各実施の形態に限られるものではなく、種々に連結して使用可能である。
【符号の説明】
【００２７】
Ｚ１        多機能椅子、
１          脚部、
２          座面部、２ａ  枠体の上面、２ｃ  枠体の側面、
３          枠体、３ａ  枠体の上面、３ｃ  枠体の側面、
５          シート状交換具、５ｔ  ユニット畳（シート状交換具）、
６          連結手段、
Ｐ１，Ｐ２  高さ調節プレート、
Ｎ          ネジ部材、
Ｓ１，Ｓ２  隙間
【図１】
2011024858.tif 000003
【図２】
2011024858.tif 000004
【図３】
2011024858.tif 000005
【図４】
2011024858.tif 000006
【図５】
2011024858.tif 000007
【図６】
2011024858.tif 000008
【図７】
2011024858.tif 000009
【図８】
2011024858.tif 000010
【図９】
2011024858.tif 000011
【図１０】
2011024858.tif 000012
【図１１】
2011024858.tif 000013
【図１２】
2011024858.tif 000014